(57)【要約】【課題】施工しやすい構成で、土木工事でありながら意匠性の高い仕上がりを有して傾斜地を道路や宅地に造成するための擁壁パネル及びその施工方法を提供する。【解決手段】擁壁を構成する夫々の長方形型の擁壁ＰＣ板は中央裏面に親杭の上部が構成する角柱部を挿入できる挿着穴を有し、該挿着穴の外周部にはブラケット状に突設された形状で一部にタイバー固着面を形成可能であり、該擁壁ＰＣ板の表面は前記角柱の挿着穴を中心に左右両方向に等しく展開する平板形状を有しており、該擁壁ＰＣ板は打設された親杭の上部に形成された角柱部に挿入して積層され擁壁を構成するもので、前記擁壁ＰＣ板の中央裏面に設けられたタイバー固着面にはその任意位置にタイバーを固着して、該タイバーは擁壁の山側における安定地盤に設けられたアンカーウェイトに連結されている。【選択図】図１
2011236721.tif 000002
【特許請求の範囲】
【請求項１】
擁壁を構成する夫々の長方形型の擁壁ＰＣ板は中央裏面に親杭の上部が構成する角柱部を挿入できる挿着穴を有し、該挿着穴の外周部にはブラケット状に突設された形状で一部にタイバー固着面を形成可能であり、該擁壁ＰＣ板の表面は前記角柱の挿着穴を中心に左右両方向に等しく展開する平板形状を有しており、該擁壁ＰＣ板は打設された親杭の上部に形成された角柱部に挿入して積層され擁壁を構成することを特徴とする傾斜地を道路や宅地に造成するための擁壁パネル。
【請求項２】
擁壁を構成する夫々の長方形型の擁壁ＰＣ板は中央裏面に親杭の上部が構成する角柱部を挿入できる挿着穴を有し、該挿着穴の外周部にはブラケット状に突設された形状で一部にタイバー固着面を形成可能であり、該擁壁ＰＣ板の表面は前記角柱の挿着穴を中心に左右両方向に等しく展開する平板形状を有しており、該擁壁ＰＣ板は打設された親杭の上部に形成された角柱部に挿入して積層され擁壁を構成するもので、前記ＰＣ擁壁板の中央裏面に設けられたタイバー固着面にはその任意位置にタイバーを固着して、該タイバーは擁壁の山側における安定地盤に設けられたアンカーウェイトに連結されていることを特徴とする傾斜地を道路や宅地に造成するための擁壁パネル。
【請求項３】
前記擁壁を構成する擁壁ＰＣ板の表面にはＰＣ板製作時に凹凸模様や凹部切り込み目地で布積み模様、煉瓦積み模様、そして矢羽積み模様を構成し、該擁壁ＰＣ板が積層された際に全体が連続模様となるよう構成したことを特徴とする請求項１または請求項２に記載された傾斜地を道路や宅地に造成するための擁壁パネル。
【請求項４】
擁壁と、該擁壁の山側における安定地盤に設けられたアンカーウェイトと、該アンカーウェイトと前記擁壁の間に設けられたタイバーと、前記擁壁上部に設けられた少なくとも一部が前記擁壁より谷側に張り出した床板部を有していることを特徴とする請求項２に記載の傾斜地を道路や宅地に造成するための擁壁パネル。
【請求項５】
前記床板部は、前記擁壁とは別体で構成され、前記擁壁に固着されることを特徴とする請求項２に記載の傾斜地を道路や宅地に造成するための擁壁パネル。
【請求項６】
前記床板部は、前記擁壁に固着され一体的に構成されていることを特徴とする請求項２に記載の傾斜地を道路や宅地に造成するための擁壁パネル。
【請求項７】
擁壁を構成する夫々の長方形型の擁壁ＰＣ板は中央裏面に親杭の上部が構成する角柱部を挿入できる挿着穴を設け、該挿着穴の外周部にはブラケット状に突設された形状で一部にタイバー固着面を形成しており、該擁壁ＰＣ板の表面は前記角柱挿着穴を中心に左右両方向に等しく展開する平板形状を有して、該擁壁ＰＣ板は打設された親杭の上部に形成された角柱部に挿入されて積層され擁壁を構成するもので、前記擁壁の中央裏面に設けられたタイバー固着面にはその任意位置にタイバーを固着して、該タイバーは擁壁の山側における安定地盤に設けられたアンカーウェイトに連結して形成されていることを特徴とする傾斜地を道路や宅地に造成するための擁壁パネルの施工方法。
【発明の詳細な説明】
【技術分野】
【０００１】  本発明は、傾斜地を安全な道路や宅地に造成するための擁壁パネル及びその施工方法に関するものである。【０００２】  本発明は、土木や建築工事の施工過程において、土の移動を極力少なくすることで省力化を図り、例えば、傾斜地の上部や下部に安全な道路や宅地を造成するための擁壁パネルを提供するものであり、また、本発明の技術分野は、道路や宅地の造成のみならず、護岸工事や河川整備工事、そして建築基礎工事等にも大いに利用できるものである。
【背景技術】
【０００３】  傾斜地の崩落を防止するための従来の擁壁工法の原理は、石やブロック等の材料が重みで傾斜面にもたれ掛った状態で擁壁を構築する方法や、傾斜地の土を掘削した後に当該部分に擁壁を構築して土を埋め戻し、該埋め戻した土の重みで構築した擁壁自体を安定させる方法、並びにＨ型鋼等の凹部嵌合溝を有する親杭を８０〜１５０ｃｍ程度の間隔で打設して傾斜面の掘削に伴い横矢板を前記親杭間の凹部嵌合溝に嵌着して擁壁を構築する方法等がある。【０００４】  近年、有効に土地を活用するために、傾斜地の利用は益々盛んである。傾斜地に設けられる道路や宅地では、特に豪雨や地震による地盤の崩落を防止できる擁壁を設けて安全な道路の造成や、宅地の造成が求められている。
また、災害発生時に傾斜地の道路や宅地が崩壊してしまった場合においては、傾斜地の山側の斜面を大きく削り、土の移動を大規模に行うことなく新たな擁壁を施工して、道路や宅地の復旧を迅速、且つ安価に行う必要がある。【０００５】  一方、傾斜地では、平坦な土地の確保が困難なため、幅員の狭い道路しか設けていない場合が多い。しかし、交通量の増加とともに狭隘な道路のままでは、歩行者の安全を確保できない状態となってきている。そのため、傾斜地の道路に歩行者用の道路を設け、歩行者の安全を確保することが考えられる。また、傾斜地では景観が良好であり、安全な散策等が行える通路が確保できれば、観光面でも有利である。【０００６】  然しながら、上述のように傾斜地に既に道路が設けられている場合、歩行者用の通路をさらに確保するには、大規模な工事が必要とされていた。一つの方法として、道路の山側の斜面を削り、新たに擁壁を構築して通路を確保する方法がある。【０００７】  然し、傾斜地では道路を通す際に既に山側を切削していることも多く、その場合には既存の擁壁を取り壊し、斜面を大きく削った後に新たな擁壁を構築するという、大規模な工事も必要になる。また、このような工事に伴い、山側の地形を大きく改変することになり、自然環境に及ぼす影響も大きい。【０００８】  別の方法として、通路の谷側の斜面に擁壁を構築し、擁壁の壁面までの部分を道路あるいは歩行者用の道路として利用する方法がある。図９（Ａ）、（Ｂ）、（Ｃ）は、従来の通路の施工方法を示す説明図である。【０００９】  図９において、５０は底版、５１は垂直版、５２は埋め戻し部、５３は道路、５４は通路である。図９（Ａ）は傾斜地に道路５３が敷設されている状態を示している。この道路５３の谷側に通路５４を設ける場合、まず、図９（Ｂ）に示すように道路５３の一部、及び通路５４となる部分を大きく削り取る。その後、図９（Ｃ）に示すように底版５０、及び垂直版５１からなるＬ字型の擁壁を構築して埋め戻す。このようにして構築した擁壁は底版５０で埋め戻し部５２の土砂の重さを受けて安定する。その後、埋め戻し部５２の上部に道路５３の削り取った部分と通路５４設ければよい。【００１０】  然しこのような工事を行うためには、既設の道路５３を一部削り取るために、道路の通行を一部制限する必要がある。このような擁壁は少なくとも数１０ｍ単位で構築することになり、埋め戻すまで通行することが出来ず長距離、長期間にわたり通行を規制することになる。そのため、交通渋滞の原因ともなり、事故などの危険性を増加させていた。更に、近くに迂回路のない狭い道路では、その道路を通行止めに出来ないために工事自体を行うことが出来ないといった場合もあった。【００１１】  また、埋め戻し部５２は元の安定した地盤とは異なり、不安定な地盤として改変してしまうために、埋め戻し部５２が不同沈下を起こして上部の道路５３や通路５４に凹凸や陥没が生じてしまったり擁壁自体が傾いてしまう等の不都合があった。【００１２】  更に、上述のように大きく掘削し、擁壁を構築し、埋め戻すという大規模な工事は、多大な労力、費用、時間を要することになり省力化を図ることがむずかしいという問題もあった。【００１３】  斯くして、主に宅地等においては、上述のような地盤の改変を少なくし、安価に擁壁を施工する方法として、特公平２−４０８０６号公報（以下、特許文献１と称する）に記載されている方法が開示されている。図１０は、特許文献１に記載された従来の擁壁の施工例を示す断面図、図１１は、図１０の平面断面図である。図１０、図１１において、５５はアンカーバー受け、５６はアンカーバー、５７はＨ鋼等からなる支柱で、擁壁５８は支柱５８間に嵌着されている。【００１４】  この従来例の施工方法では、まず山側の安定地盤にアンカーバー受け５５を設ける穴と、アンカーバー５６を設ける溝を掘削する。そして、アンカーバー受け５５を打設し、擁壁５８とアンカーバー受け５５の間にアンカーバー５６を張設し、アンカーバー５６を埋め戻す。【００１５】  この特許文献１に記載された従来工法では、安定地盤を大きく改変することがないため、地盤をそのまま利用することが出来るとともに、不同沈下などを起こすことは極めて少ない。また、安定地盤によってアンカーバー受け５５及びアンカーバー５６が保持されるため、擁壁５８は強固に支持される等の利点を有し、工事が簡単で、短期間で安価に施工することが可能である。【００１６】  然しながら、特許文献１に記載された従来工法では、特に宅地等の構造物を傾斜地に構築する場合に施工する擁壁については考えられているものの、このようにして構築した擁壁上を通路として利用することは考えられていなかった。そのため、通路を設ける場合には、通路の幅よりも更に谷側に擁壁を構築しなければならなかった。従って、傾斜地ではその分だけ谷の下から擁壁を構築する必要があり、擁壁の高さが高くなってしまいそれだけ擁壁の強度を増す必要がある等の欠点があった。【００１７】  而して、特開２０００−２９７４０３号公報（以下、特許文献２と称する）は、上述したＬ字型擁壁工法や特許文献１に記載のアンカー工法の欠点を解消し、既存の道路等の交通をそれほど阻害することなく、交通事情に合わせて計画的に施工することができるものであり、更に、谷側に大きく張り出して設置可能な通路及び道路の施工方法を提供している。【００１８】  特許文献２に開示された発明の構成は、従来例を示す図１２の断面図、及び図１３の平面図に示してその概略を説明する。図１２、及び図１３において、図中５９は基礎、６０は支柱、６１は壁板、６２はアンカーウェイト、６３はタイバー、６４は床板部である。そして、擁壁は、適当な間隔で杭状の基礎５９を形成し、Ｈ型鋼等の凹部嵌合溝を有する支柱６０を現場に複数本打設して、夫々の支柱６０間の凹部嵌合溝間にＰＣ板等により構成された壁板を嵌着して擁壁を構築しているものである。【００１９】  そして、特許文献２の発明は、擁壁よりも山側の安定地盤にアンカーウェイト６２を設置し、アンカーウェイト６２と擁壁（支柱６０）間をタイバー６３で結んでおり、前記アンカーウェイト６２は、例えば鉄筋コンクリートや杭などで構成することが出来るとしている。【００２０】  また、前記タイバー６３は、例えば擁壁（支柱６０）とアンカーウェイト６２間に１ないし複数本のワイヤーを張設し、或いは、骨材を両端で固定し、該ワイヤー或いは骨材をコンクリート等���よって固めて構成することや、ＰＣ板を擁壁（支柱６０）とアンカーウェイト６２間に夫々固定することによって擁壁を構成するとしている。【００２１】  斯くして、特許文献２の発明は、擁壁部と、該擁壁部の山側における安定地盤に設けられたアンカーウェイト６２と、該アンカーウェイトと前記擁壁部の間に設けられたタイバー６３と、前記擁壁部上に設けられた少なくとも一部が前記擁壁部より谷側に張り出した床板部６４を有していることを特徴とする通路に関するものである。【００２２】  そして、前記床板部が、擁壁部とは別体で構成されていることや、擁壁部と床板部は、一体的に構成されていることが実施例として開示されており、前記構成により特許文献２の発明は、谷側に大きく張り出して設置可能な通路を比較的短期間で容易にしかも安価に建設することが出来るもので、例えば既存の道路脇に設置する場合でも、道路の交通をそれほど阻害することなく、交通事情に合わせて計画的に施工することが出来るという大きな効果を有している。【００２３】  然しながら、特許文献２の発明では、支柱となるＨ鋼等の親杭の打設間隔は、一般的に８０〜１５０ｃｍ程度の間隔で打設することが必要で、少しでも支柱間のピッチを大きくとれる構成が、施工効率をアップする観点から強く要望されている。【００２４】  また、特許文献２の発明では、支柱となるＨ型鋼等の凹部嵌合溝を有する親杭に壁板を嵌着して擁壁を構成しているが、支柱となるＨ鋼の見付面は擁壁外部に突出して擁壁の支持枠を構成するものであり支柱ピッチ毎に突出した擁壁の支持枠は意匠性がない。そして、前記Ｈ鋼からなる支柱はスチール色であったりスチール錆色であって何時までたっても工事途中の現場の雰囲気を有しており、意匠性を高めるためには、新たな費用をかけて擁壁全体を化粧材で覆うことを真剣に検討することも生じる。【００２５】  而して、本発明は、特許文献２に開示された発明をより施工しやすく、より短期間で容易に、しかも安価で意匠性のすぐれた擁壁に施工出来るように改良したものである。
【特許文献１】特公平２−４０８０６号公報
【特許文献２】特開２０００−２９７４０３号公報
【発明の開示】
【発明が解決しようとする課題】
【００２６】  本発明が解決しようとする問題点は、より施工しやすい構成で、土木工事でありながら意匠性の高い仕上がりを有して傾斜地を道路や宅地に造成するための擁壁パネル及びその施工方法を提供するものである。【００２７】  また、本発明は、従来の擁壁パネルにおいて、該擁壁パネルを親杭により支持する際にその支持間隔が一般的に８０〜１５０ｃｍと小さく施工効率が出来ないものであった点を改良して、夫々の擁壁ＰＣ板をパネル中央で支持することにより支柱を中心に左右均等に土圧がかかるように構成してパネルピッチを２ｍと大きく拡大した。そしてこの改良された擁壁ＰＣ板のパネル幅は、狭隘な場所でも小型重機を用いて施工出来る最良の構成を提供するものである。【００２８】  更に、本発明は、床板部が、擁壁部とは別体で構成されていることや、擁壁部と床板部は、一体的に構成されていることで、谷側に大きく張り出して設置可能な通路を比較的短期間で容易にしかも安価に建設することが出来るもので、例えば既存の道路脇に設置する場合でも、道路の交通をそれほど阻害することなく、交通事情に合わせて計画的に施工することが出来るというものである。
【課題を解決するための手段】
【００２９】  本発明は、擁壁を構成する夫々の長方形型の擁壁ＰＣ板は中央裏面に親杭の上部が構成する角柱部を挿入できる挿着穴を有し、該挿着穴の外周部にはブラケット状に突設された形状で一部にタイバー固着面を形成可能であり、該擁壁ＰＣ板の表面は前記角柱の挿着穴を中心に左右両方向に等しく展開する平板形状を有しており、該擁壁ＰＣ板は打設された親杭の上部に形成された角柱部に挿入して積層され擁壁を構成するものである。【００３０】  また、本発明は、擁壁を構成する夫々の長方形型の擁壁ＰＣ板は中央裏面に親杭の上部が構成する角柱部を挿入できる挿着穴を有し、該挿着穴の外周部にはブラケット状に突設された形状で一部にタイバー固着面を形成可能であり、該擁壁ＰＣ板の表面は前記角柱の挿着穴を中心に左右両方向に等しく展開する平板形状を有しており、該擁壁ＰＣ板は打設された親杭の上部に形成された角柱部に挿入して積層され擁壁を構成するもので、前記擁壁ＰＣ板の中央裏面に設けられたタイバー固着面にはその任意位置にタイバーを固着して、該タイバーは擁壁の山側における安定地盤に設けられたアンカーウェイトに連結されていることを特徴とする傾斜地を道路や宅地に造成するための擁壁パネルを提供するものである。【００３１】  そして更に、前記擁壁を構成する擁壁ＰＣ板の表面には、ＰＣ板製作時に凹凸模様や凹部切り込み目地で布積み模様、煉瓦積み模様、そして矢羽積み模様を構成し、該擁壁ＰＣ板が積層された際に全体が連続模様となるよう構成された傾斜地を道路や宅地に造成するための擁壁パネルを提供するものである。【００３２】  而して、本発明は、擁壁と、該擁壁の山側における安定地盤に設けられたアンカーウェイトと、該アンカーウェイトと前記擁壁の間に設けられたタイバーと、前記擁壁上部に設けられた少なくとも一部が前記擁壁より谷側に張り出した床板部を構成し、床板部が、前記擁壁とは別体で構成されて擁壁に固着されること、また、前記床板部は、前記擁壁に固着され一体的に構成されていることを特徴としている。【００３３】  従って、上記構成により、本発明は、谷側に大きく張り出して設置可能な通路を比較的短期間で容易にしかも安価に建設することが出来るもので、例えば既存の道路脇に設置する場合でも、道路の交通をそれほど阻害することなく、交通事情に合わせて計画的に施工することが出来るという特徴がある。【００３４】  本発明の施工方法は、擁壁を構成する夫々の長方形型の擁壁ＰＣ板は中央裏面に親杭の上部が構成する角柱部を挿入できる挿着穴を設け、該挿着穴の外周部にはブラケット状に突設された形状で一部にタイバー固着面を形成しており、該擁壁ＰＣ板の表面は前記角柱挿着穴を中心に左右両方向に等しく展開する平板形状を有して、該擁壁ＰＣ板は打設された親杭の上部に形成された角柱部に挿入されて積層され擁壁を構成するもので、前記擁壁の中央裏面に設けられたタイバー固着面にはその任意位置にタイバーを固着して、該タイバーは擁壁の山側における安定地盤に設けられたアンカーウェイトに連結して形成されていることを特徴としている。
【発明の効果】
【００３５】  本発明の傾斜地を道路や宅地に造成するための擁壁パネル及び擁壁パネルの施工方法は、従来の施工方法に比較して、より施工しやすい構成を有し、土木工事でありながら意匠性の高い仕上がりを持つ擁壁とその施工方法を提供することができた。【００３６】  また、本発明は、従来の擁壁パネルにおいて、該擁壁パネルを親杭により支持する際にその支持間隔が一般的に８０〜１５０ｃｍと小さく施工効率が悪いいものであった点を改良して、夫々の擁壁ＰＣ板をパネル中央で支持することにより支柱を中心に左右均等に土圧がかかるように構成してパネルピッチを２ｍと大きく拡大した。そしてこの改良された擁壁ＰＣ板のパネル幅は、狭隘な場所でも小型重機を用いて施工出来る最良の構成を提供するものである。【００３７】  更に、本発明は、床板部が、擁壁部とは別体で構成されていることや、擁壁部と床板部は、一体的に構成されていることで、谷側に大きく張り出して設置可能な通路を比較的短期間で容易にしかも安価に建設することが出来るもので、例えば既存の道路脇に設置する場合でも、道路の交通をそれほど阻害することなく、交通事情に合わせて計画的に施工することが出来るという効果を有するものである。【００３８】  そして、従来の擁壁が支柱となるＨ型鋼等の凹部嵌合溝を有する親杭に壁板を嵌着して擁壁を構成であることから、支柱となるＨ鋼の見付面は擁壁外部に突出して擁壁の支持枠を構成するものであり、支柱ピッチ毎に突出した擁壁の支持枠は意匠性がない。即ち、前記Ｈ鋼からなる支柱はスチール色であったりスチール錆色であり何時までたっても工事途中の現場の雰囲気を有しており、意匠性を高めるためには新たな費用をかけて擁壁全体を化粧材で覆うことが必要である点を改良して、擁壁パネルの支柱は擁壁パネルの裏面中央で支持することで擁壁の前面には現れない構成として、擁壁パネルのデザイン性を高めることが出来た。
【発明を実施するための最良の形態】
【００３９】  本発明は、擁壁パネルの形状に関するものであり、擁壁を構成する夫々の長方形型の擁壁ＰＣ板は中央裏面に親杭の上部が構成する角柱部を挿入できる挿着穴を有し、該挿着穴の外周部にはブラケット状に突設された形状で一部にタイバー固着面を形成可能であり、該擁壁ＰＣ板の表面は前記角柱の挿着穴を中心に左右両方向に等しく展開する平板形状を有しており、該擁壁ＰＣ板は打設された親杭の上部に形成された角柱部に挿入して積層され擁壁を構成することを特徴としている。【００４０】  上記擁壁パネルは、夫々長方形の擁壁ＰＣ板で構成され、擁壁ＰＣ板の中央裏面に親杭が挿入出来る挿着穴を設けて擁壁ＰＣ板を支持するものであり、夫々の擁壁ＰＣ板をパネル中央で支持することにより支柱を中心に左右均等に土圧がかかるように構成してパネルピッチを２ｍと大きくしている。【００４１】  従って、前記擁壁ＰＣ版の挿着穴は、親杭の上部を角柱形状に構成して、擁壁ＰＣ板の中央裏面に構成する挿着穴も擁壁パネルがバランスの悪い土圧で回転しないように角穴形状としている。【００４２】  また、親杭は通常、杭穴を掘削してＨ鋼を挿入しフープ筋を挿入した後コンクリートを打設して形成するもので、Ｈ鋼の挿入時に該Ｈ鋼の代わりにＨ鋼を骨材としたＰＣ板角柱を挿入することで容易に角柱形状の親杭を構成することが出来る。【００４３】  そして前記擁壁を構成する擁壁ＰＣ板の表面には、ＰＣ板製作時に凹凸模様や凹部切り込み目地で布積み模様、煉瓦積み模様、そして矢羽積み模様を構成し、該擁壁ＰＣ板が積層された際に全体が連続模様となるよう構成された擁壁パネルを提供するものである。【００４４】  また、本発明の擁壁パネルは、従来の擁壁パネルにおいて、該擁壁パネルを親杭により支持する際にその支持間隔が一般的に８０〜１５０ｃｍと小さく施工効率が悪いものであった点を改良して、夫々の擁壁ＰＣ板をパネル中央で支持することにより支柱を中心に左右均等に土圧がかかるように構成してパネルピッチを２ｍと大きく拡大した。そしてこの改良された擁壁ＰＣ板のパネル幅は、狭隘な場所でも小型重機を用いて施工出来る最良の構成を提供するものである。【００４５】  而して、本発明における前記擁壁パネルと支柱の保持方法は、該擁壁パネルのＰＣ板が打設された親杭の上部に形成された角柱部に挿入して積層され擁壁を構成するもので、前記擁壁ＰＣ板の中央裏面に設けられたタイバー固着面にはその任意位置にタイバーを固着して、該タイバーは擁壁の山側における安定地盤に設けられたアンカーウェイトに連結されていることによって堅固に保持されている。【００４６】  本発明は、道路や宅地において、擁壁パネルが構成する擁壁部と該擁壁部の山側における安定地盤に設けられたアンカーウェイトと、該アンカーウェイトと前記擁壁部の間に設けられたタイバーと、前記擁壁部上に設けられた少なくとも一部が前記擁壁部より谷側に張り出した床板部を有していることを特徴とするものである。【００４７】  このような道路を施工する場合の施工方法として、擁壁部を形成するとともに、該擁壁部から山側に延在する溝を掘削し、該溝の山側端部にアンカーウェイトを設けるとともに、前記溝中において該アンカーウェイトと前記擁壁部の間をタイバーで接続して埋め戻し、前記擁壁の上部に少なくとも一部が前記擁壁部より谷側に張り出した床板部を形成する。【００４８】  この時、床板部が、擁壁部とは別体で構成されていることや、擁壁部と床板部は、一体的に構成されていることで、谷側に大きく張り出して設置可能な道路を比較的短期間で容易にしかも安価に建設することが出来るもので、例えば既存の道路脇に設置する場合でも、道路側にはアンカーウェイト及びタイバーのための細い溝を掘削するだけで済むので、短時間で工事が終わるので、道路の交通をそれほど阻害することなく、交通事情に合わせて計画的に施工することが出来るという効果を有するものである。【００４９】  また、本発明による工事は、土を大きく切削することがなく（土の移動量が少ない）、アンカーウェイトは安定地盤に設けられるため、元々の強固な地盤を生かし利用することができる。そして、擁壁パネルは、アンカーウェイト及びタイバーにより十分な支持力を得ることができ、擁壁上に設けられ床板部を谷側に大きく張り出しても、擁壁として十分な強度を保つことができる。
【実施例１】
【００５０】  図１は、本発明の擁壁パネルの形状を示す平面図、図２は、図１の擁壁パネルの正面図を示している。図１及び図２において、１は擁壁ＰＣ板、２は擁壁ＰＣ板１の中央裏面に構成される角柱の挿着穴、３はタイバー固着面、４はＰＣ板製作時に使用される製作用デーハ、５は施工時に使用される施工用デーハ、６はＰＣ板施工時に他の擁壁ＰＣ板との嵌合に使用されるガイドピン、７は水抜き穴を構成する切り欠き部である。【００５１】  実施例１において、擁壁を構成する夫々の長方形型の擁壁ＰＣ板１は中央裏面に親杭の上部が構成する角柱部を挿入できる挿着穴２を有し、該挿着穴２の外周部にはブラケット状に突設された形状で一部にタイバー固着面３を形成可能であり、該擁壁ＰＣ板１の表面は前記角柱の挿着穴２を中心に左右両方向に等しく展開する平板形状を有しており、該擁壁ＰＣ板１は打設された親杭の上部に形成された角柱部に挿入して積層され擁壁を構成することを特徴とする擁壁パネルである。【００５２】  図３は、前記擁壁ＰＣ板１をどのように擁壁パネルとして利用するかを示す断面説明図、図４は、図３の平面説明図である。図３及び図４において、１は夫々の擁壁ＰＣ板を示しており、該擁壁ＰＣ板の裏面中央には夫々角柱の挿着穴２が設けられており、該挿着穴２は、親杭８の上部９が構成する角柱部１０が支柱として設けられている。【００５３】  前記、親杭８の角柱部１０（支柱）は、夫々擁壁ＰＣ板１の角柱挿着穴２が挿入されて積層されており、該角柱部１０の挿入により、擁壁ＰＣ板１は夫々の裏面中央部で支持されて擁壁１１を構成している。そして、一部の擁壁ＰＣ板１の裏面において、タイバー１２は、前記タイバー固着面３で固着され、該タイバー１２は擁壁１１の山側における安定地盤１３に設けられたアンカーウェイト１４に連結されている。
尚、図３において、１５は地山掘削部分、１６は埋め戻し部分、１７は擁壁基礎を示している。【００５４】  そして、図３及び図４において、擁壁１１を構成する擁壁ＰＣ板１は、従来の擁壁パネルにおいて、該擁壁パネルを親杭により支持する際にその支持間隔が一般的に８０〜１５０ｃｍと小さく施工効率が悪いものであった点を改良して、本発明においては、夫々の擁壁ＰＣ板１を、該擁壁ＰＣ板１の裏面中央で角柱部１０（支柱）を介して支持することにより角柱部１０（支柱）を中心に左右均等に土圧がかかるように構成してパネルピッチ（パネル幅）を２ｍと大きく拡大した。そしてこの改良された擁壁ＰＣ板１のパネル幅は、狭隘な場所でも小型重機を用いて施工出来る最良のパネルサイズを提供するものである。【００５５】  本発明における前記擁壁ＰＣ板１と角柱部１０（支柱）の保持方法は、打設された親杭８の上部に形成された角柱部１０に挿入して積層され擁壁ＰＣ板１からなる擁壁１１を構成するもので、前記擁壁ＰＣ板１の中央裏面に設けられたタイバー固着面３にはその任意位置にタイバー１２を固着して、該タイバー１２は擁壁の山側における安定地盤１３に設けられたアンカーウェイト１４に連結されていることによって堅固に保持された擁壁１１の施工が完了する。
【実施例２】
【００５６】  図５及び図６は、本発明の実施例２を説明するもので、図５は擁壁ＰＣ板１の単体表面を示す正面図、図６は５図に示す擁壁ＰＣ板１が積層されて擁壁１１を構成している状態を示す正面図を示している。
図５及び図６において、１は擁壁１１を構成する擁壁ＰＣ板、１８は擁壁ＰＣ板１の表面に設けた凹状目地である。【００５７】  而して、前記凹状目地１８は図６に示す如く擁壁ＰＣ板１が集積されて擁壁１１を形成すると、擁壁１１全体が石布積みも文様を形成し、意匠性の高い擁壁１１を構成するこができた。
尚、上記凹部目地１８による文様は、任意に構成することが可能で、ＰＣ板製作時に凹凸模様や凹部切り込み目地で他に、煉瓦積み模様、矢羽積み模様等を構成し、該擁壁ＰＣ板１が積層された際に全体が連続模様となるよう構成された擁壁パネルを提供するものである。
【実施例３】
【００５８】  図７及び図８は本発明の実施例３を説明するもので、図７は擁壁１１の上部に張り出した床板部１９を設置した状態を説明する断面図、図８は、図７の平面図を示している。
図７及び図８において、１は夫々の擁壁ＰＣ板を示しており、該擁壁ＰＣ板の裏面中央には夫々角柱の挿着穴２が設けられており、該挿着穴２は、親杭８の上部９が構成する角柱部１０が支柱として設けられている。【００５９】  前記、親杭８の角柱部１０（支柱）は、夫々擁壁ＰＣ板１の角柱挿着穴２が挿入されて積層されており、該角柱部１０の挿入により、擁壁ＰＣ板１は夫々の裏面中央部で支持されて擁壁１１を構成している。そして、一部の擁壁ＰＣ板１の裏面において、タイバー１２は、前記タイバー固着面３で固着され、該タイバー１２は擁壁１１の山側における安定地盤１３に設けられたアンカーウェイト１４に連結されている。【００６０】  そして、擁壁ＰＣ板１が構成する擁壁１１と該擁壁１１の山側における安定地盤１３に設けられたアンカーウェイト１４と、該アンカーウェイト１４と前記擁壁部の間に設けられたタイバー１２と、前記擁壁１１上部に設けられた少なくとも一部が前記擁壁１１より谷側に張り出した床板部１９を有していることを特徴としている。【００６１】  而して、実施例３のように、谷側に張り出した道路２０を施工する場合の施工方法として、擁壁１１部を形成するとともに、該擁壁１１部から山側に延在する溝を掘削し、該溝の山側端部にアンカーウェイト１４を設けるとともに、前記溝中において該アンカーウェイト１４と前記擁壁１１部の間をタイバー１２で接続して埋め戻し、前記擁壁１１の上部に少なくとも一部が前記擁壁１１部より谷側に張り出した床板部１９を形成する。【００６２】  従って、実施例３においては、床板部１９が、擁壁１１部とは別体で構成され、また、擁壁１１部と床板部１９が、該床部１９に設けられた嵌合部２１に前記角柱部１０（支柱）を嵌合して、一体的に構成可能であることから、床板部１９を並列して谷側に大きく張り出して道路２０を比較的短期間で容易にしかも安価に建設することが出来るものである。【００６３】  そして、例えば既存の道路脇に床板部１９を設置する場合でも、道路２０側にはアンカーウェイト１４及びタイバー１４のための細い溝を掘削するだけで済むので、短時間で工事を完了することが可能で、道路の交通をそれほど阻害することなく、交通事情に合わせて計画的に施工することが出来るという効果を有するものである。
【産業上の利用可能性】
【００６４】  本発明の傾斜地を道路や宅地に造成するための擁壁パネル及び擁壁パネルの施工方法は、従来の施工方法に比較して、より施工しやすい構成を有し、土木工事でありながら意匠性の高い仕上がりを持つ擁壁とその施工方法を提供することができた。【００６５】  また、本発明は、従来の擁壁パネルにおいて、該擁壁パネルを親杭により支持する際にその支持間隔が一般的に８０〜１５０ｃｍと小さく施工効率が悪いいものであった点を改良して、夫々の擁壁ＰＣ板をパネル中央で支持することにより支柱を中心に左右均等に土圧がかかるように構成してパネルピッチを２ｍと大きく拡大した。そしてこの改良された擁壁ＰＣ板のパネル幅は、狭隘な場所でも小型重機を用いて施工出来る最良の構成を提供するものである。【００６６】  更に、本発明は、床板部が、擁壁部とは別体で構成されていることや、擁壁部と床板部は、一体的に構成されていることで、谷側に大きく張り出して設置可能な通路を比較的短期間で容易にしかも安価に建設することが出来るもので、例えば既存の道路脇に設置する場合でも、道路の交通をそれほど阻害することなく、交通事情に合わせて計画的に施工することが出来るという効果を有するものである。【００６７】    そして、従来の擁壁が支柱となるＨ型鋼等の凹部嵌合溝を有する親杭に壁板を嵌着して擁壁を構成であることから、支柱となるＨ鋼の見付面は擁壁外部に突出して擁壁の支持枠を構成するものであり、支柱ピッチ毎に突出した擁壁の支持枠は意匠性がない。即ち、前記Ｈ鋼からなる支柱はスチール色であったり、スチール錆色で何時までたっても工事途中の現場の雰囲気を有しており、意匠性を高めるためには、新たな費用をかけて擁壁全体を化粧材で覆うことが必要である点を改良して、擁壁パネルの支柱は擁壁パネルの裏面中央で支持することで、擁壁の全面には現れない構成として、擁壁パネルのデザイン性を高めることが可能である。【００６８】  従って、本発明は、土木や建築工事の施工過程において、土の移動を極力少なくすることで省力化を図り、例えば、傾斜地の上部や下部に安全な道路や宅地を造成するための擁壁パネルを提供するものであり、また、本発明の技術分野は、道路や宅地の造成のみならず、護岸工事や河川整備工事、そして建築基礎工事等にも大いに適用できるものである。
【図面の簡単な説明】
【００６９】
【図１】本発明の実施例１を説明する平面図である。
【図２】本発明の実施例１を説明する正面図である。
【図３】本発明の実施例１を説明する断面図である。
【図４】本発明の実施例１を説明する平面図である。
【図５】本発明の実施例２を説明する擁壁ＰＣ板単体正面図である。
【図６】本発明の実施例２を説明する擁壁ＰＣ板集積正面図である。
【図７】本発明の実施例３を説明する断面図である。
【図８】本発明の実施例３を説明する平面図である。
【図９】従来の道路の施工方法の一例を示す説明図である。
【図１０】従来の擁壁の施工例を説明する断面図である。
【図１１】従来の擁壁の施工例を説明する平面図である。
【図１２】従来の擁壁の施工例を説明する断面図である。
【図１３】従来の擁壁の施工例を説明する平面図である。
【符号の説明】
【００７０】  １  擁壁ＰＣ板
２  角柱の挿着穴
３  タイバー固着面
４  製作用デーハ
５  施工用デーハ
６  ガイドピン
７  切り欠き部
８  親杭
９  親杭の上部
１０  角柱部
１１  擁壁
１２  タイバー
１３  安定地盤
１４  アンカーウェイト
１５  地山掘削部分
１６  埋め戻し部分
１７  擁壁基礎
１８  凹状目地
１９  床板部
２０  道路
２１  嵌合部
５０  底板
５１  垂直版
５２  埋め戻し部
５３  道路
５４  通路
５５  アンカーバー受け
５６  アンカーバー
５７  支柱
５８  擁壁
５９  基礎
６０  支柱
６１  壁版
６２  アンカーウェイト
６３  タイバー
６４  床板部
【図１】
2011236721.tif 000003
【図２】
2011236721.tif 000004
【図３】
2011236721.tif 000005
【図４】
2011236721.tif 000006
【図５】
2011236721.tif 000007
【図６】
2011236721.tif 000008
【図７】
2011236721.tif 000009
【図８】
2011236721.tif 000010
【図９】
2011236721.tif 000011
【図１０】
2011236721.tif 000012
【図１１】
2011236721.tif 000013
【図１２】
2011236721.tif 000014
【図１３】
2011236721.tif 000015